(57)【要約】【課題】使用者に負担をかけることなく、適切な電波を用いて通信を行うことができるようにする。【解決手段】電子カセッテ５２のＧＰＳ９６によって、自装置が存在する位置を示す位置情報を取得する。通信方式決定部９８によって、取得された位置情報が示す位置を含む国に対応する、電波周波数帯域、変調方式、及び電波出力によって規定される通信方式を決定する。電源供給制御部１００によって、通信方式決定部９８によって決定された通信方式を用いた送受信機９２に電源を供給させる。送受信機９２によって、生成された放射線画像情報をコンソール６２に対して送信する。【選択図】図４
2010032268.tif 000002
【特許請求の範囲】
【請求項１】
外部から照射された放射線量に応じた放射線画像を示す画像情報を生成する電子回路と、
自装置が存在する位置を示す位置情報を取得する位置情報取得手段と、
複数の領域と複数の電波の周波数帯域との予め定められた対応関係に基づいて、前記位置情報取得手段によって取得された位置情報が示す位置を含む領域に対応する、前記電波の周波数帯域を決定する決定手段と、
前記複数の電波の周波数帯域を用いた通信を行うことが可能な通信手段と、
前記決定手段によって決定された周波数帯域の電波を用いて、前記電子回路によって生成された画像情報を送信するように前記通信手段を制御する通信制御手段と、
を含む可搬型放射線画像変換装置。
【請求項２】
前記決定手段は、前記複数の領域と、電波の周波数帯域、変調方式、及び電波出力の複数の組み合わせとの予め定められた対応関係に基づいて、前記位置情報取得手段によって取得された位置情報が示す位置を含む領域に対応する、前記電波の周波数帯域、変調方式、及び電波出力の組み合わせを決定し、
前記通信手段は、前記電波の周波数帯域、変調方式、及び電波出力の前記複数の組み合わせを用いた通信を行うことが可能であって、
前記通信制御手段は、前記決定手段によって決定された前記電波の周波数帯域、変調方式、及び電波出力の組み合わせを用いて、前記電子回路によって生成された画像情報を送信するように前記通信手段を制御する請求項１記載の可搬型放射線画像変換装置。
【請求項３】
前記領域は、国を表し、
国の法令による電波の制限に応じて前記対応関係が定められている請求項１又は２記載の可搬型放射線画像変換装置。
【請求項４】
前記位置情報を、ＧＰＳから得られる位置情報とした請求項１〜請求項３の何れか１項記載の可搬型放射線画像変換装置。
【請求項５】
前記通信制御手段は、前記位置情報取得手段によって前記位置情報が取得されなかった場合に、前記通信手段による通信を禁止するように制御する請求項１〜請求項４の何れか１項記載の可搬型放射線画像変換装置。
【請求項６】
前記位置情報取得手段によって前記位置情報が取得されなかった場合、着脱可能な記憶媒体に対して、前記電子回路によって生成された画像情報を記憶させる記憶制御手段を更に含む請求項５記載の可搬型放射線画像変換装置。
【請求項７】
着脱可能な通信ケーブルを接続するための接続端子と、
前記位置情報取得手段によって前記位置情報が取得されなかった場合、前記電子回路によって生成された画像情報を、前記通信ケーブルを介して送信させる有線通信制御手段とを更に含む請求項５記載の可搬型放射線画像変換装置。
【請求項８】
光通信を行うことが可能な光通信手段と、
前記位置情報取得手段によって前記位置情報が取得されなかった場合、前記電子回路によって生成された画像情報を送信するように前記光通信手段を制御する光通信制御手段とを更に含む請求項５記載の可搬型放射線画像変換装置。
【請求項９】
自装置が存在する位置を示す位置情報を取得する位置情報取得手段と、
複数の領域と複数の電波の周波数帯域との予め定められた対応関係に基づいて、前記位置情報取得手段によって取得された位置情報が示す位置を含む領域に対応する、前記電波の周波数帯域を決定する決定手段と、
前記複数の電波の周波数帯域を用いた通信を行うことが可能な通信手段と、
外部から照射された放射線量に応じた放射線画像を示す画像情報を生成する電子回路を備えた可搬型放射線画像変換装置から、前記決定手段によって決定された周波数帯域の電波を用いて、前記画像情報を受信するように前記通信手段を制御する通信制御手段と、
前記通信手段によって受信した前記画像情報を表示する表示手段と、
を含む情報処理装置。
【請求項１０】
外部から照射された放射線量に応じた放射線画像を示す画像情報を生成する電子回路が収納された可搬型放射線画像変換装置を収容することが可能な収容装置であって、
自装置が存在する位置を示す位置情報を取得する位置情報取得手段と、
複数の領域と複数の電波の周波数帯域との予め定められた対応関係に基づいて、前記位置情報取得手段によって取得された位置情報が示す位置を含む領域に対応する、前記電波の周波数帯域を決定する決定手段と、
前記複数の電波の周波数帯域を用いた通信を行うことが可能な通信手段と、
前記決定手段によって決定された周波数帯域の電波を用いて、前記可搬型放射線画像変換装置から前記画像情報を受信するように前記通信手段を制御する通信制御手段と、
を含む収容装置。
【発明の詳細な説明】
【技術分野】
【０００１】
本発明は、可搬型放射線画像変換装置、情報処理装置、及び収容装置に関する。
【背景技術】
【０００２】
近年、ＴＦＴ（Ｔｈｉｎ Ｆｉｌｍ Ｔｒａｎｓｉｓｔｏｒ）アクティブマトリクス基板上にＸ線感応層を配置し、Ｘ線を直接デジタルデータに変換できるＦＰＤ（Ｆｌａｔ Ｐａｎｅｌ Ｄｅｔｅｃｔｏｒ）が実用化されており、このＦＰＤ等を用いて照射された放射線により表わされる放射線画像を示す画像情報を生成し、生成した画像情報を記憶する可搬型放射線画像変換装置（以下、「電子カセッテ」ともいう。）が実用化されている。
【０００３】
電子カセッテを使用するときの状況を考えると、無線方式によるデータ通信形態を採用すると利便性が良いため、無線によって画像情報を送信する放射線検出システムが知られている（特許文献１）。
【０００４】
無線電波に関しては、国ごとに、電波法で利用可能な電波の周波数帯域、変調方式、電波出力などが決められており、適切な運用が求められる。病院内に固定された使用される無線通信の電子カセッテであれば、出荷時又は設置時に、利用する電波を最適化すればよい。
【特許文献１】特許３４９４６３号公報
【発明の開示】
【発明が解決しようとする課題】
【０００５】
しかしながら、例えば、医療診断車や医療設備を持つ豪華客船など、国を超えて移動可能な移動体に、無線通信の電子カセッテを搭載すると、移動する国ごとに、その都度利用する電波を設定する必要があるため、使用者に負担がかかってしまう、という問題点があった。
【０００６】
本発明は上記問題点を解決するためになされたものであり、使用者に負担をかけることなく、適切な電波を用いて通信を行うことができる可搬型放射線画像変換装置、情報処理装置、及び収容装置を提供することを目的とする。
【課題を解決するための手段】
【０００７】
上記目的を達成するために、第１の発明に係る可搬型放射線画像変換装置は、外部から照射された放射線量に応じた放射線画像を示す画像情報を生成する電子回路と、自装置が存在する位置を示す位置情報を取得する位置情報取得手段と、複数の領域と複数の電波の周波数帯域との予め定められた対応関係に基づいて、前記位置情報取得手段によって取得された位置情報が示す位置を含む領域に対応する、前記電波の周波数帯域を決定する決定手段と、前記複数の電波の周波数帯域を用いた通信を行うことが可能な通信手段と、前記決定手段によって決定された周波数帯域の電波を用いて、前記電子回路によって生成された画像情報を送信するように前記通信手段を制御する通信制御手段とを含んで構成されている。
【０００８】
第１の発明に係る可搬型放射線画像変換装置によれば、位置情報取得手段によって、自装置が存在する位置を示す位置情報を取得する。決定手段によって、複数の領域と複数の電波の周波数帯域との予め定められた対応関係に基づいて、位置情報取得手段によって取得された位置情報が示す位置を含む領域に対応する、電波の周波数帯域を決定する。
【０００９】
そして、通信制御手段によって、決定手段によって決定された周波数帯域の電波を用いて、電子回路によって生成された画像情報を送信するように通信手段を制御する。
【００１０】
このように、自装置が存在する位置を含む領域に対応する、電波の周波数帯域を用いて、放射線画像を示す画像情報を送信することにより、使用者に負担をかけることなく、適切な電波を用いて通信を行うことができる。
【００１１】
第１の発明に係る決定手段は、複数の領域と、電波の周波数帯域、変調方式、及び電波出力の複数の組み合わせとの予め定められた対応関係に基づいて、位置情報取得手段によって取得された位置情報が示す位置を含む領域に対応する、電波の周波数帯域、変調方式、及び電波出力の組み合わせを決定し、通信手段は、電波の周波数帯域、変調方式、及び電波出力の前記複数の組み合わせを用いた通信を行うことが可能であって、通信制御手段は、決定手段によって決定された電波の周波数帯域、変調方式、及び電波出力の組み合わせを用いて、電子回路によって生成された画像情報を送信するように通信手段を制御することができる。これによって、自装置が存在する位置を含む領域に対して、電波の周波数帯域、変調方式、及び電波出力の適切な組み合わせを用いて通信を行うことができる。
【００１２】
上記の領域は、国を表し、国の法令による電波の制限に応じて対応関係を定めることができる。これによって、自装置が存在する位置を含む国の法令に対して適切な電波を用いて通信を行うことができる。
【００１３】
上記位置情報を、ＧＰＳから得られる位置情報とすることができる。
【００１４】
上記の通信制御手段は、位置情報取得手段によって位置情報が取得されなかった場合に、通信手段による通信を禁止するように制御することができる。これによって、不適切な電波を用いて通信を行うことを防止することができる。
【００１５】
また、上記の通信手段による通信を禁止するように制御する可搬型放射線画像変換装置は、位置情報取得手段によって位置情報が取得されなかった場合、着脱可能な記憶媒体に対して、電子回路によって生成された画像情報を記憶させる記憶制御手段を更に含むことができる。これによって、不適切な電波を用いて通信を行うことを防止すると共に、着脱可能な記憶媒体によって画像情報を外部装置へ入力することができる。
【００１６】
また、上記の通信手段による通信を禁止するように制御する可搬型放射線画像変換装置は、着脱可能な通信ケーブルを接続するための接続端子と、位置情報取得手段によって位置情報が取得されなかった場合、電子回路によって生成された画像情報を、通信ケーブルを介して送信させる有線通信制御手段とを更に含むことができる。これによって、不適切な電波を用いて通信を行うことを防止すると共に、通信ケーブルを介して画像情報を送信することができる。
【００１７】
また、上記の通信手段による通信を禁止するように制御する可搬型放射線画像変換装置は、光通信を行うことが可能な光通信手段と、位置情報取得手段によって位置情報が取得されなかった場合、電子回路によって生成された画像情報を送信するように光通信手段を制御する光通信制御手段とを更に含むことができる。これによって、不適切な電波を用いて通信を行うことを防止すると共に、光通信によって画像情報を送信することができる。
【００１８】
第２の発明に係る情報処理装置は、自装置が存在する位置を示す位置情報を取得する位置情報取得手段と、複数の領域と複数の電波の周波数帯域との予め定められた対応関係に基づいて、前記位置情報取得手段によって取得された位置情報が示す位置を含む領域に対応する、前記電波の周波数帯域を決定する決定手段と、前記複数の電波の周波数帯域を用いた通信を行うことが可能な通信手段と、外部から照射された放射線量に応じた放射線画像を示す画像情報を生成する電子回路を備えた可搬型放射線画像変換装置から、前記決定手段によって決定された周波数帯域の電波を用いて、前記画像情報を受信するように前記通信手段を制御する通信制御手段と、前記通信手段によって受信した前記画像情報を表示する表示手段とを含んで構成されている。
【００１９】
第２の発明に係る情報処理装置によれば、位置情報取得手段によって、自装置が存在する位置を示す位置情報を取得する。決定手段によって、複数の領域と複数の電波の周波数帯域との予め定められた対応関係に基づいて、位置情報取得手段によって取得された位置情報が示す位置を含む領域に対応する、電波の周波数帯域を決定する。
【００２０】
そして、通信制御手段によって、可搬型放射線画像変換装置から、決定手段によって決定された周波数帯域の電波を用いて、画像情報を受信するように通信手段を制御する。表示手段によって、通信手段によって受信した画像情報を表示する。
【００２１】
このように、自装置が存在する位置を含む領域に対応する、電波の周波数帯域を用いて、放射線画像を示す画像情報を受信することにより、使用者に負担をかけることなく、適切な電波を用いて通信を行うことができる。
【００２２】
第３の発明に係る収容装置は、外部から照射された放射線量に応じた放射線画像を示す画像情報を生成する電子回路が収納された可搬型放射線画像変換装置を収容することが可能な収容装置であって、自装置が存在する位置を示す位置情報を取得する位置情報取得手段と、複数の領域と複数の電波の周波数帯域との予め定められた対応関係に基づいて、前記位置情報取得手段によって取得された位置情報が示す位置を含む領域に対応する、前記電波の周波数帯域を決定する決定手段と、前記複数の電波の周波数帯域を用いた通信を行うことが可能な通信手段と、前記決定手段によって決定された周波数帯域の電波を用いて、前記可搬型放射線画像変換装置から前記画像情報を受信するように前記通信手段を制御する通信制御手段とを含んで構成されている。
【００２３】
第３の発明に係る収容装置によれば、位置情報取得手段によって、自装置が存在する位置を示す位置情報を取得する。決定手段によって、複数の領域と複数の電波の周波数帯域との予め定められた対応関係に基づいて、位置情報取得手段によって取得された位置情報が示す位置を含む領域に対応する、電波の周波数帯域を決定する。
【００２４】
そして、通信制御手段によって、決定手段によって決定された周波数帯域の電波を用いて、可搬型放射線画像変換装置から画像情報を受信するように通信手段を制御する。
【００２５】
このように、自装置が存在する位置を含む領域に対応する、電波の周波数帯域を用いて、放射線画像を示す画像情報を受信することにより、使用者に負担をかけることなく、適切な電波を用いて通信を行うことができる。
【発明の効果】
【００２６】
本発明に係る可搬型放射線画像変換装置によれば、自装置が存在する位置を含む領域に対応する、電波の周波数帯域を用いて、放射線画像を示す画像情報を送信することにより、使用者に負担をかけることなく、適切な電波を用いて通信を行うことができる、という効果が得られる。
【００２７】
本発明に係る情報処理装置及び収容装置によれば、自装置が存在する位置を含む領域に対応する、電波の周波数帯域を用いて、放射線画像を示す画像情報を受信することにより、使用者に負担をかけることなく、適切な電波を用いて通信を行うことができる、という効果が得られる。
【発明を実施するための最良の形態】
【００２８】
以下、図面を参照して本発明を実施するための最良の形態について詳細に説明する。
【００２９】
まず、第１の実施の形態に係る放射線情報システム１０の構成について説明する。図１には、第１の実施形態に係る放射線情報システム１０（以下、「ＲＩＳ１０」（ＲＩＳ：Ｒａｄｉｏｌｏｇｙ Ｉｎｆｏｒｍａｔｉｏｎ Ｓｙｓｔｅｍ）とも称する。）の各構成要素を示すブロック図が示されている。
【００３０】
ＲＩＳ１０は、放射線科部門内における、診療予約、診断記録等の情報管理を行うためのシステムであり、病院情報システム（ＨＩＳ：Ｈｏｓｐｉｔａｌ Ｉｎｆｏｒｍａｔｉｏｎ Ｓｙｓｔｅｍ）の一部を構成する。
【００３１】
ＲＩＳ１０は、複数の撮影依頼入力端末１２（以下、「入力端末１２」とも称する。）と、ＲＩＳサーバ１４と、複数の放射線画像撮影システム１８（以下、「撮影システム１８」とも称する。）と、を含んで構成されている。
【００３２】
ＲＩＳサーバ１４は、ＲＩＳ１０全体の管理をするものであり、ＬＡＮ（Ｌｏｃａｌ Ａｒｅａ Ｎｅｔｗｏｒｋ）ケーブル２０により、各入力端末１２及び撮影システム１８と相互通信が可能に構成されている。また、ＲＩＳサーバ１４は、ＨＩＳ全体の管理をするＨＩＳサーバ２４に接続されている。
【００３３】
入力端末１２は、医師２６（図２を参照。）や放射線技師が、診断情報や施設予約の入力・閲覧をするためのものであり、放射線画像の撮影依頼（撮影予約）もこの入力端末１２からなされる。各入力端末１２は、表示装置付きのパーソナルコンピュータから構成され、ＲＩＳサーバ１４とＬＡＮにより接続されて相互通信が可能となっている。
【００３４】
ＲＩＳサーバ１４は、各入力端末１２からの撮影依頼を受け付け、撮影システム１８における放射線画像の撮影スケジュールを管理するものであり、データベース２８を含んで構成されている。
【００３５】
データベースは、患者３０（図２を参照。）の属性情報（氏名、性別、生年月日、年齢、血液、患者ＩＤ等）、病歴、受診歴、過去に撮影した放射線画像等、患者３０に関する情報と、撮影システム１８の電子カセッテ５２の識別番号、型式、サイズ、感度、使用可能な撮影部位（対応可能な撮影依頼の内容）、使用開始年月日、使用回数等、電子カセッテ５２に関する情報とを含んで構成されている。
【００３６】
撮影システム１８は、ＲＩＳサーバ１４からの指示に応じて医師２６や放射線技師の操作により放射線画像の撮影を行う。撮影システム１８は、撮影条件に従った放射線量からなる放射線Ｘを被写体としての患者３０に照射する撮影装置５４と、患者３０を透過した放射線Ｘを検出し、放射線画像情報に変換する放射線検出器（後述）を内蔵する電子カセッテ５２と、放射線検出器によって検出された放射線Ｘに基づく放射線画像を表示する表示装置５６と、電子カセッテ５２に内蔵される主電源部９４（図４を参照。）を充電するクレードル６０と、電子カセッテ５２、撮影装置５４、表示装置５６、及びクレードル６０を制御するコンソール６２と、を備える。電子カセッテ５２とコンソール６２との間では、無線通信による信号の送受信が行われる。撮影装置５４、表示装置５６、及びクレードル６０の各々と、コンソール６２との間では、ＬＡＮケーブル等を用いた有線通信による信号の送受信が行われる。
【００３７】
図２には、第１の実施の形態に係る撮影システム１８を配置した様子の一例として、撮影システム１８が撮影室としての手術室６４内に設置された様子が示されている。図２の手術室６４では、撮影システム１８に加えて、患者３０が横臥する手術台６６が配置されると共に、医師２６が手術に使用する各種器具が載置される器具台６８が手術台６６の側部に配置される。また、手術台６６の周りには、麻酔器、吸引器、心電計、血圧計等、手術に必要な様々な機器が配置される（これらの機器は、図２では省略されている。）。
【００３８】
撮影装置５４は、自在アーム７０に連結され、患者３０の撮影部位に応じた所望の位置に移動可能であると共に、医師２６による手術の邪魔とならない位置に待避可能である。同様に、表示装置５６は、自在アーム７２に連結され、撮影された放射線画像を医師２６が容易に確認できる位置に移動可能である。
【００３９】
図２の例では、撮影システム１８が手術室６４内に設置されているが、放射線画像の撮影専用に設置された撮影室内等、他の場所に撮影システム１８を設置しても良い。また、電子カセッテ５２は、手術室６４で使用される場合に限られるものではなく、例えば、検診や病院内での回診にも適用することができる。
【００４０】
図３には、電子カセッテ５２の内部構成を示す図が示されている。
【００４１】
同図に示すように、電子カセッテ５２は、放射線Ｘを透過させる材料からなる筐体７４を備えている。筐体７４の内部には、放射線Ｘが照射される筐体７４の照射面７６側から、患者３０による放射線Ｘの散乱線を除去するグリッド７８、患者３０を透過した放射線Ｘを検出する放射線検出器８０（放射線変換パネル）、及び、放射線Ｘのバック散乱線を吸収する鉛板８２が順に配設される。なお、筐体７４の照射面７６をグリッド７８として構成してもよい。
【００４２】
また、筐体７４の内部には、マイクロコンピュータを含む各種回路（後述）を収容するケース８４が配置されている。ケース８４内部に収容された各種回路が放射線Ｘの照射に伴って損傷することを回避するため、ケース８４の照射面７６側には鉛板等を配設しておくことが望ましい。
【００４３】
次に電子カセッテ５２及びコンソール６２の電気系の構成を説明する。電子カセッテ５２の放射線検出器８０は、図４に示すように、ＴＦＴアクティブマトリクス基板８１上に、放射線を吸収して電荷に変換する光電変換層が積層されて構成されている。光電変換層は例えばセレンを主成分（例えば含有率５０％以上）とする非晶質のａ−Ｓｅ（アモルファスセレン）から成り、放射線が照射されると、照射された放射線量に応じた電荷量の電荷（電子−正孔の対）を内部で発生することで、照射された放射線を電荷へ変換する。また、ＴＦＴアクティブマトリクス基板８１上には、光電変換層で発生された電荷を蓄積する蓄積容量３４と、蓄積容量３４に蓄積された電荷を読み出すためのＴＦＴ３６とを備えた画素部４０（図４では個々の画素部４０に対応する光電変換層を光電変換部３８として模式的に示している）がマトリクス状に多数個配置されており、電子カセッテ５２への放射線の照射に伴って光電変換層で発生された電荷は、個々の画素部４０の蓄積容量３４に蓄積される。これにより、電子カセッテ５２に照射された放射線に担持されていた画像情報は電荷情報へ変換されて放射線検出器８０に保持される。
【００４４】
また、ＴＦＴアクティブマトリクス基板８１には、一定方向（行方向）に延設され個々の画素部４０のＴＦＴ３６をオンオフさせるための複数本のゲート配線４２と、ゲート配線４２と直交する方向（列方向）に延設されオンされたＴＦＴ３６を介して蓄積容量３４から蓄積電荷を読み出すための複数本のデータ配線４４とが設けられている。個々のゲート配線４２はゲート線ドライバ４６に接続されており、個々のデータ配線４４は信号処理部４８に接続されている。個々の画素部４０の蓄積容量３４に電荷が蓄積されると、個々の画素部４０のＴＦＴ３６は、ゲート線ドライバ４６からゲート配線４２を介して供給される信号により行単位で順にオンされ、ＴＦＴ３６がオンされた画素部４０の蓄積容量３４に蓄積されている電荷は、電荷信号としてデータ配線４４を伝送されて信号処理部４８に入力される。従って、個々の画素部４０の蓄積容量３４に蓄積されている電荷は行単位で順に読み出される。
【００４５】
図示は省略するが、信号処理部４８は、個々のデータ配線４４毎に設けられた増幅器及びサンプルホールド回路を備えており、個々のデータ配線４４を伝送された電荷信号は増幅器で増幅された後にサンプルホールド回路に保持される。また、サンプルホールド回路の出力側にはマルチプレクサ、Ａ／Ｄ変換器が順に接続されており、個々のサンプルホールド回路に保持された電荷信号はマルチプレクサに順に（シリアルに）入力され、Ａ／Ｄ変換器によってデジタルの放射線画像情報へ変換される。
【００４６】
信号処理部４８には画像メモリ５０が接続されており、信号処理部４８のＡ／Ｄ変換器から出力された放射線画像情報は画像メモリ５０に順に記憶される。画像メモリ５０は複数フレーム分の放射線画像情報を記憶可能な記憶容量を有しており、放射線画像の撮影が行われる毎に、撮影によって得られた放射線画像情報が画像メモリ５０に順次記憶される。
【００４７】
なお、放射線検出器８０、ゲート線ドライバ４６、信号処理部４８、及び画像メモリ５０が、本発明の電子回路に対応する。
【００４８】
また、電子カセッテ５２は、複数の送受信機９２を備えている。複数の送受信機９２は、各々、電波周波数帯域、変調方式、及び電波出力が異なる組み合わせで規定される電波無線によって通信を行う。各送受信機９２は、通信制御部９０に接続されている。通信制御部９０は、コンソール６２からのデータ送信要求に応じて、画像メモリ５０に記憶された放射線画像情報を、何れかの送受信機９２によってコンソール６２へ送信する。
【００４９】
また、電子カセッテ５２には主電源部９４が設けられており、主電源部９４は各種回路や各素子(ゲート線ドライバ４６、信号処理部４８、画像メモリ５０、ＧＰＳ９６、通信制御部９０や電源供給制御部１００等として機能するマイクロコンピュータ等)へ電力を供給し、各種回路や各素子は主電源部９４から供給された電力によって作動する。また、放射線検出器８０のＴＦＴアクティブマトリクス基板８１は、主電源部９４から電力が供給されて、照射された放射線量に応じた電荷量の電荷を発生する。主電源部９４は、電子カセッテ５２の可搬性を損なわないように、バッテリ（充電可能な二次電池）を内蔵し、充電されたバッテリから各種回路及び各種素子へ電力を供給するように構成されている。
【００５０】
電子カセッテ５２の表面に設けられた二次電池用電極（図示省略）は導体を介して主電源部９４に接続されている。主電源部９４の二次電源は、二次電池用電極を介してクレードル６０から供給された電力によって充電される。
【００５１】
また、電子カセッテ５２には、ＧＰＳ９６が設けられており、ＧＰＳ９６は、自装置が存在する位置を示すＧＰＳ位置情報を測定する。ＧＰＳ９６は、通信方式決定部９８に接続されており、通信方式決定部９８は、以下に説明するように、複数の送受信機９２で用いられている、電波周波数帯域、変調方式、及び電波出力の組み合わせによって規定される複数の通信方式の何れか１つを決定する。
【００５２】
まず、通信方式決定部９８には、国毎に、国の電波に関する電波法によって認められている医療用無線方式として、電波周波数帯域、変調方式、及び電波出力の組み合わせで規定される通信方式が対応して定められた通信方式決定テーブルが予め記憶されており、また、国毎に、国の領域となるＧＰＳ位置情報の範囲が対応して定められた国領域決定テーブルが予め記憶されている。
【００５３】
通信方式決定部９８は、ＧＰＳ９６から得られるＧＰＳ位置情報と、国領域決定テーブルとに基づいて、自装置が存在する位置がどの国に属しているかを特定する。また、通信方式決定部９８は、特定された国と、通信方式決定テーブルとに基づいて、自装置が存在する位置が存在する国の電波法において認められている通信方式として、電波周波数帯域、変調方式、及び電波出力の組み合わせで規定される通信方式を決定する。
【００５４】
なお、上記の複数の送受信機９２が利用している無線の通信方式の各々が、上述した、いずれかの国の電波に関する電波法によって認められている医療用無線方式となるように、各送受信機９２が構成されている。
【００５５】
また、通信方式決定部９８は、ＧＰＳ９６によりＧＰＳ位置情報が得られなかった場合には、無線通信を禁止するように決定する。
【００５６】
通信方式決定部９８及び主電源部９４は、電源供給制御部１００に接続されている。電源供給制御部１００は、複数の送受信機９２のうち、通信方式決定部９８によって決定された通信方式に対応する送受信機９２のみに、主電源部９４からの電源が供給されるように制御し、決定された通信方式に対応する送受信機９２による無線通信が可能な状態とする。また、電源供給制御部１００は、通信方式決定部９８によって無線通信を禁止するように決定された場合には、どの送受信機９２にも、主電源部９４からの電源が供給されないように制御し、いずれの送受信機９２による無線通信も行えない状態とする。
【００５７】
なお、電源供給制御部１００には、通信方式決定部９８によって決定される通信方式と、通信方式に対応する送受信機９２との対応関係が予め記憶されている。
【００５８】
また、電子カセッテ５２の通信方式決定部９８は、出力制御部１０２に接続されている。出力制御部１０２は、コンソール６２からの通信方式出力要求に応じて、通信方式決定部９８によって決定された通信方式を示す情報を、ケーブル（図示省略）を介してコンソール６２へ出力する。
【００５９】
電子カセッテ５２には、着脱可能な記憶媒体としてのメモリカード１０４が設けられている。また、画像メモリ５０及び通信方式決定部９８は、メモリカード１０４にデータを記憶させる記憶制御部１０６に接続されている。記憶制御部１０６は、通信方式決定部９８によって無線通信を禁止するように決定された場合に、画像メモリ５０に記憶された放射線画像情報をメモリカード１０４に記憶させる。
【００６０】
通信制御部９０、通信方式決定部９８、出力制御部１０２、及び記憶制御部１０６はマイクロコンピュータによって実現され、電源供給制御部１００は、スイッチング回路によって実現される。
【００６１】
コンソール６２は、操作部１１８を備え、操作部１１８は、複数のキーを備えたキーボード（図示省略）を含んで構成されている。利用者がキーボードを操作することで入力された、撮影指示を含む各種の指示や情報は、通信方式取得部１１０及び通信制御部１２８に入力される。
【００６２】
コンソール６２の通信方式取得部１１０は、ケーブルを介して、電子カセッテ５２の出力制御部１０２に接続される。電子カセッテ５２とコンソール６２とがケーブルによって接続されている場合に、操作部１１８から通信方式取得指示が入力されると、電子カセッテ５２の通信方式決定部９８によって決定された通信方式を示す情報が、コンソール６２の通信方式取得部１１０によって取得される。
【００６３】
コンソール６２は、複数の送受信機１１２を備えている。複数の送受信機１１２は、電子カセッテ５２と同様に、国毎の電波法により認められた医療用無線方式であって、各々、電波周波数帯域、変調方式、及び電波出力が異なる組み合わせで規定される電波無線によって通信を行う。
【００６４】
また、コンソール６２には電源部１１４が設けられている。電源部１１４は商用電源に常時接続され、商用電源から供給された電力を整流、変圧し、コンソール６２のうち各種回路や各素子（通信方式取得部１１０、電源供給制御部１１６、読み出し部１２０、操作部１１８、画像メモリ１２２、表示部１２６、表示制御部１２４、通信制御部１２８等）へ供給する。各種回路や各素子は電源部１１４から供給された電力によって作動する。
【００６５】
コンソール６２の通信方式取得部１１０及び電源部１１４は、電源供給制御部１１６に接続されており、電源供給制御部１１６は、複数の送受信機１１２のうち、通信方式取得部１１０によって取得された情報が示す通信方式に対応する送受信機１１２のみに、電源部１１４からの電源が供給されるように制御し、取得された情報が示す通信方式に対応する送受信機１１２による無線通信が可能な状態とする。また、電源供給制御部１１６は、通信方式取得部１１０によって無線通信を禁止することを示す情報が取得された場合には、どの送受信機１１２にも、電源部１１４からの電源が供給されないように制御し、いずれの送受信機１１２による無線通信も行えない状態とする。
【００６６】
なお、電源供給制御部１１６には、通信方式取得部１１０によって取得される通信方式と、通信方式に対応する送受信機１１２との対応関係が予め記憶されている。
【００６７】
コンソール６２の読み出し部１２０は、通信制御部１２８によって撮影装置５４からの撮影完了通知が受信されると、何れかの送受信機１１２によって電子カセッテ５２へデータ送信要求を送信させる。また、読み出し部１２０は、何れかの送受信機１１２によって受信された放射線画像情報を読み出す。
【００６８】
コンソール６２は、メモリカード１０４を装填可能なメモリリーダ１０８を備えている。読み出し部１２０は、メモリリーダ１０８に装填されたメモリカード１０４に記憶された放射線画像情報を、メモリリーダ１０８を介して読み出す。
【００６９】
また、読み出し部１２０には画像メモリ１２２が接続され、読み出し部１２０によって読み出された放射線画像情報が、画像メモリ１２２に記憶される。
【００７０】
画像メモリ１２２には、表示制御部１２４が接続され、表示制御部１２４は、画像メモリ１２２に記憶された放射線画像情報を、ディスプレイから構成される表示部１２６に表示させる。
【００７１】
また、画像メモリ１２２には、通信制御部１２８が接続されている。通信制御部１２８は、画像メモリ１２２に記憶された放射線画像情報を、ＲＩＳサーバ１４や表示装置５６などの外部機器へ出力する。操作部１１８によって撮影指示が入力されたときに、通信制御部１２８は、撮像指示を撮影装置５４へ出力すると共に、撮影装置５４から撮影完了通知が受信されると、読み出し１２０による放射線画像情報の読み出し、画像メモリ１２２からの放射線画像情報の読み出し、及び外部機器への放射線画像情報の出力を制御する。なお、外部機器として、ＲＩＳサーバ１４や表示装置５６の他に、放射線画像情報が表す画像をシート状の印刷媒体に印刷する印刷装置、放射線画像情報をＣＤ−Ｒや公知の他の情報記録媒体に記録する情報記録装置、通信ネットワークを介して接続された情報処理機器へ放射線画像情報を送信する通信装置等が挙げられる。
【００７２】
読み出し部１２０、通信方式取得部１１０、表示制御部１２４、及び通信制御部１２８はマイクロコンピュータによって実現され、電源供給制御部１１６は、スイッチング回路によって実現される。
【００７３】
次に、第１の実施の形態に係るＲＩＳ１０の全体的な動作について簡単に説明する。
【００７４】
入力端末１２は、医師２６又は放射線技師からの撮影依頼を受け付ける。当該撮影依頼では、電子カセッテ５２による撮影の日時及び撮影条件｛撮影の部位、角度及び枚数、放射線Ｘを照射するための管電圧、管電流、照射時間並びに電子カセッテ５２のサイズ及び感度等｝が指定される。
【００７５】
入力端末１２は、受け付けた撮影依頼の内容をＲＩＳサーバ１４に通知する。ＲＩＳサーバ１４は、入力端末１２から通知された撮影依頼の内容をデータベース２８に記録する。
【００７６】
コンソール６２は、ＲＩＳサーバ１４にアクセスすることにより、ＲＩＳサーバ１４から撮影依頼の内容を取得し、撮影依頼の内容を表示部１２６に表示する。
【００７７】
また、電子カセッテ５２において、通信方式決定部９８及び電源供給制御部１００を実現するマイクロコンピュータにより、図５に示す通信方式設定処理ルーチンが実行される。
【００７８】
まず、ステップ１５０において、ＧＰＳ９６より測定された自装置が存在する位置を示す位置情報を取得する。そして、ステップ１５２において、上記ステップ１５０において、位置情報が取得できたか否かを判定し、位置情報を取得できなかった場合には、ステップ１５４において、全ての送受信機９２への電源供給を停止させて、送受信機９２による無線通信を禁止して、通信方式設定処理ルーチンを終了する。
【００７９】
上記ステップ１５２において、位置情報が取得できたと判定された場合には、ステップ１５６において、上記ステップ１５０で取得された位置情報と予め記憶された国領域決定テーブルとに基づいて、自装置が存在する位置が属する国を特定する。
【００８０】
そして、予め記憶された通信方式決定テーブルに基づいて、上記ステップ１５６で特定された自装置の位置が属する国に対応する通信方式として、電波周波数帯域、変調方式、及び無線電波出力によって規定される通信方式を決定する。次のステップ１６０では、上記ステップ１５６で決定された通信方式の電波を利用する送受信機９２に、主電源部９４からの電源を供給させて、通信方式設定処理ルーチンを終了する。
【００８１】
上記の通信方式設定処理ルーチンを実行することにより、自装置の位置が属する国の電波法によって認められた通信方式によって無線通信を行う送受信機９２が、無線通信可能な状態となる。
【００８２】
また、電子カセッテ５２とコンソール６２とがケーブルによって接続されている状態において、医師２６や放射線技師が、コンソール６２の操作部１１８によって、通信方式取得指示を入力すると、電子カセッテ５２において決定された通信方式を示す情報が、コンソール６２によって取得される。そして、コンソール６２において、取得された通信方式の電波を利用する送受信機１１２に、電源部１１４からの電源を供給させるように制御する。これによって、自装置の位置が属する国の電波法において認められた通信方式によって無線通信を行う送受信機１１２が、無線通信可能な状態となる。
【００８３】
次に、医師２６や放射線技師が、表示部１２６に表示された撮影依頼の内容に基づいて、操作部１１８から放射線画像の撮影を指示すると、撮影装置５４の放射線源から患者３０に放射線Ｘが照射される。当該放射線Ｘは患者３０を透過し、電子カセッテ５２のグリッド７８によって散乱線が除去された後、放射線検出器８０に照射され、放射線検出器８０を構成する各画素部４０の光電変換層によって電気信号に変換され、蓄積容量３４に電荷として保持される（図４参照。）。次いで、各蓄積容量３４に保持された患者３０の放射線画像情報である電荷情報は、ゲート線ドライバ４６から供給される信号により、電荷信号としてデータ配線４４を伝送されて信号処理部４８に入力される。
【００８４】
各画素部４０の蓄積容量３４から読み出された放射線画像情報は、信号処理部４８において、各増幅器によって増幅された後、各サンプルホールド回路によってサンプリングされ、マルチプレクサを介してＡ／Ｄ変換器に供給され、デジタル信号に変換される。
【００８５】
デジタル信号に変換された放射線画像情報は、電子カセッテ５２の画像メモリ５０に一旦記憶される。
【００８６】
そして、コンソール６２は、撮影装置５４から、撮影完了通知を受信すると、無線通信可能な状態となっている送受信機１１２を介して、電子カセッテ５２に対して、データ送信要求を送信する。
【００８７】
電子カセッテ５２は、無線通信可能な状態となっている送受信機９２を介して、コンソール６２から、データ送信要求を受信すると、画像メモリ５０に記憶されている放射線画像情報を、送受信機９２を介して、無線通信によりコンソール６２に送信する。
【００８８】
電子カセッテ５２から送信された放射線画像情報は、コンソール６２の送受信機１１２によって受信され、所定の画像処理が施された後、患者３０の患者情報と関連付けられた状態で、画像メモリ１２２に記憶される。
【００８９】
画像処理の施された放射線画像情報は、表示部１２６に表示されると共に、通信制御部１２８から表示装置５６に送信される。放射線画像情報を受信した表示装置５６は、表示部（図示省略）に放射線画像を表示する。医師２６は、表示装置５６の表示部に表示された放射線画像を確認しながら手術を遂行する。
【００９０】
また、無線通信を禁止するように決定されている場合には、電子カセッテ５２は、記憶制御部１０６によって、画像メモリ５０に記憶された放射線画像情報をメモリカード１０４に記憶させる。そして、医師２６又は放射線技師は、撮影が終了すると、電子カセッテ５２からメモリカード１０４を取出し、コンソール６２のメモリリーダ１０８にメモリカード１０４を装填させる。コンソール６２は、メモリカード１０４に記憶された放射線画像情報を読み出し、所定の画像処理を施した後、患者３０の患者情報と関連付けられた状態で、画像メモリ１２２に記憶する。
【００９１】
以上詳細に説明したように、第１の実施の形態に係る放射線情報システムの電子カセッテでは、ＧＰＳを用いて自装置の位置を取得して、自装置が存在する位置が属する国の電波法において認められた、電波周波数帯域、変調方式、及び電波出力によって規定される通信方式を決定し、決定された通信方式を用いて、放射線画像情報を送信することにより、使用者に負担をかけることなく、適切な電波を用いて通信を行うことができる。
【００９２】
また、コンソールでは、自装置が存在する位置が属する国の電波法において認められた通信方式を電子カセッテから取得し、取得された通信方式を用いて、放射線画像情報を受信することにより、使用者に負担をかけることなく、適切な電波を用いて通信を行うことができる。
【００９３】
ＧＰＳからＧＰＳ位置情報が取得されなかった場合に、送受信機による通信を禁止するように制御することにより、不適切な電波を用いて通信を行うことを防止することができる。また、送受信機による通信を禁止する場合には、メモリカードに放射線画像情報を記憶させ、メモリカードを介してコンソールに放射線画像情報を入力することができる。
【００９４】
なお、上記の実施の形態では、無線通信を禁止するように決定されているときに、画像メモリ５０に記憶された放射線画像情報をメモリカード１０４に記憶させる場合を例に説明したが、これに限定されるものではなく、他のデータ転送手段によって、画像メモリ５０に記憶された放射線画像情報を、コンソールに転送するようにしてもよい。例えば、図６に示すように、電子カセッテ５２に、接続端子１８１に着脱可能な通信ケーブル（図示省略）を介して通信を行う有線通信制御部１８０を備え、コンソール６２に、接続端子１８３に接続された通信ケーブル（図示省略）を介して通信を行う有線通信制御部１８０を設けるように構成すればよい。この場合には、医師２６又は放射線技師は、撮影が終了すると、電子カセッテ５２の接続端子１８１に、コンソール６２に接続された通信ケーブルを接続し、コンソール６２から電子カセッテ５２へ通信ケーブルを介してデータ送信要求を送信する。電子カセッテ５２は、有線通信制御部１８０によって、画像メモリ５０に記憶された放射線画像情報を、通信ケーブルを介して送信し、コンソール６２は、有線通信制御部１８２によって、通信ケーブルを介して、放射線画像情報を受信し、読み出し部１２０によって、受信した放射線画像情報を読み出す。なお、通信ケーブルは、光ケーブルであってもよい。
【００９５】
また、図７に示すように、電子カセッテ５２に、赤外線通信（ＩｒＤＡ）を行う赤外線通信部１８４と、赤外線通信部１８４による通信を制御する赤外線通信制御部１８６とを設け、コンソール６２に、赤外線通信（ＩｒＤＡ）を行う赤外線通信部１８８と、赤外線通信部１８８による通信を制御する赤外線通信制御部１９０とを設けるように構成すればよい。この場合には、医師２６又は放射線技師は、撮影が終了すると、電子カセッテ５２の赤外線通信部１８４とコンソール６２の赤外線通信部１８８とを対向させて、コンソール６２から電子カセッテ５２へ赤外線通信によってデータ送信要求を送信する。電子カセッテ５２は、赤外線通信部１８４によって、画像メモリ５０に記憶された放射線画像情報を送信し、コンソール６２は、赤外線通信部１８８によって、放射線画像情報を受信し、読み出し部１２０によって、受信した放射線画像情報を読み出す。
【００９６】
次に、第２の実施の形態について説明する。なお、第１の実施の形態と同様の構成となっている部分については、同一符号を付して説明を省略する。
【００９７】
第２の実施の形態では、コンソール側にＧＰＳを設けて通信方式を決定している点が、第１の実施の形態と主に異なっている。
【００９８】
図８に示すように、第２の実施の形態に係る撮影システムのコンソール２６２は、メモリリーダ１０８、複数の送受信機１１２、電源部１１４、操作部１１８、読み出し部１２０、画像メモリ１２２、表示制御部１２４、表示部１２６、通信制御部１２８、ＧＰＳ２９６、通信方式決定部３１０、出力制御部３１２、及び電源供給制御部３１６が設けられている。なお、コンソール２６２は、本発明の情報処理装置に対応する。
【００９９】
ＧＰＳ２９６は、自装置が存在する位置を示すＧＰＳ位置情報を測定する。ＧＰＳ２９６は、通信方式決定部３１０に接続されており、通信方式決定部３１０は、上記第１の実施の形態で説明した通信方式決定部９８と同様の方法により、複数の送受信機１１２で用いられる、電波周波数帯域、変調方式、及び電波出力の組み合わせで規定される複数の通信方式の何れか１つを決定する。
【０１００】
また、通信方式決定部３１０は、ＧＰＳ２９６によりＧＰＳ位置情報が得られなかった場合、無線通信を禁止するように決定する。
【０１０１】
通信方式決定部３１０及び電源部１１４は、電源供給制御部３１６に接続されており、電源供給制御部３１６は、複数の送受信機１１２のうち、通信方式決定部３１０によって決定された通信方式に対応する送受信機１１２のみに、電源部１１４からの電源が供給されるように制御し、決定された通信方式に対応する送受信機１１２による無線通信が可能な状態とする。また、電源供給制御部３１６は、通信方式決定部３１０によって無線通信を禁止するように決定された場合には、どの送受信機１１２にも、電源部１１４からの電源が供給されないように制御し、いずれの送受信機１１２による無線通信も行えない状態とする。
【０１０２】
また、通信方式決定部３１０は、出力制御部３１２に接続されている。出力制御部３１２は、電子カセッテ２５２からの通信方式出力要求に応じて、通信方式決定部３１０によって決定された通信方式を示す情報を、ケーブル（図示省略）を介して電子カセッテ２５２へ出力する。
【０１０３】
電子カセッテ２５２は、通信制御部９０、複数の送受信機９２、主電源部９４、メモリカード１０４、記憶制御部１０６、通信方式取得部２９８、及び電源供給制御部３００を備えている。
【０１０４】
通信方式取得部２９８は、ケーブルを介して、コンソール２６２の出力制御部３１２に接続される。通信方式取得部２９８は、電子カセッテ２５２とコンソール２６２とがケーブルによって接続されたことを検知すると、通信方式出力要求をコンソール２６２に対して出力し、コンソール２６２の通信方式決定部３１０によって決定された通信方式を示す情報を、ケーブルを介して取得する。
【０１０５】
電子カセッテ２５２の通信方式取得部２９８及び主電源部９４は、電源供給制御部３００に接続されており、電源供給制御部３００は、複数の送受信機９２のうち、通信方式取得部２９８によって取得された情報が示す通信方式に対応する送受信機９２のみに、主電源部９４からの電源が供給されるように制御し、取得された情報が示す通信方式に対応する送受信機９２による無線通信が可能な状態とする。また、電源供給制御部３００は、通信方式取得部２９８によって無線通信を禁止することを示す情報が取得された場合には、どの送受信機９２にも、主電源部９４からの電源が供給されないように制御し、いずれの送受信機９２による無線通信も行えない状態とする。
【０１０６】
第２の実施の形態に係る放射線情報システムの他の構成は、第１の実施の形態と同様であるため、説明を省略する。
【０１０７】
次に、第２の実施の形態に係る放射線情報システムの作用について説明する。
【０１０８】
コンソール２６２において、電源がオンされると、通信方式決定部３１０及び電源供給制御部３１６を実現するプログラムによって、以下のように、通信方式設定処理ルーチンが実行される。
【０１０９】
まず、ＧＰＳ９６より測定された自装置が存在する位置を示す位置情報を取得する。そして、位置情報が取得できたか否かを判定し、位置情報を取得できなかった場合には、全ての送受信機１１２への電源供給を停止させて、送受信機１１２による無線通信を禁止して、通信方式設定処理ルーチンを終了する。
【０１１０】
位置情報が取得できたと判定された場合には、取得された位置情報に基づいて、自装置が存在する位置が属する国を特定する。そして、特定された自装置の位置が属する国に対応する通信方式として、電波周波数帯域、変調方式、及び無線電波出力を決定し、決定された通信方式の電波を利用する送受信機１１２に、電源部１１４からの電源を供給させて、通信方式設定処理ルーチンを終了する。
【０１１１】
上記の通信方式設定処理ルーチンを実行することにより、自装置の位置が属する国の電波法において認められた通信方式によって無線通信を行う送受信機１１２が、無線通信可能な状態となる。
【０１１２】
また、電子カセッテ２５２とコンソール２６２とがケーブルによって接続されると、上記のようにコンソール２６２において決定された通信方式を示す情報が、電子カセッテ２５２によって取得される。そして、電子カセッテ２５２において、取得された情報が示す通信方式の電波を利用する送受信機９２に、主電源部９４からの電源を供給させるように制御する。これによって、自装置の位置が属する国の電波法において認められた通信方式によって無線通信を行う送受信機９２が、無線通信可能な状態となる。
【０１１３】
なお、第２の実施の形態に係る放射線情報システムの他の作用については、第１の実施の形態と同様であるため、説明を省略する。
【０１１４】
以上詳細に説明したように、第２の実施の形態に係る放射線情報システムのコンソールによれば、ＧＰＳを用いて自装置の位置を取得して、自装置が存在する位置が属する国の電波法において認められた、電波周波数帯域、変調方式、及び電波出力によって規定される通信方式を決定し、決定された通信方式を用いて、放射線画像情報を受信することにより、使用者に負担をかけることなく、適切な電波を用いて通信を行うことができる。
【０１１５】
また、電子カセッテでは、自装置が存在する位置が属する国の電波法において認められた通信方式をコンソールから取得し、取得された通信方式を用いて、放射線画像情報を送信することにより、使用者に負担をかけることなく、適切な電波を用いて通信を行うことができる。
【０１１６】
次に、第３の実施の形態について説明する。なお、第１の実施の形態及び第２の実施の形態と同様の構成となっている部分については、同一符号を付して説明を省略する。
【０１１７】
第３の実施の形態では、電子カセッテ側とコンソール側との双方にＧＰＳを設け、双方において各々通信方式を決定している点が、第１の実施の形態と主に異なっている。
【０１１８】
図９に示すように、第３の実施の形態に係る撮影システムの電子カセッテ３５２は、通信制御部９０と、複数の送受信機９２と、主電源部９４と、ＧＰＳ９６と、通信方式決定部９８と、電源供給制御部１００と、メモリカード１０４と、記憶制御部１０６とを備えている。
【０１１９】
また、コンソール３６２は、メモリリーダ１０８と、複数の送受信機１１２と、電源部１１４と、ＧＰＳ２９６と、通信方式決定部３１０と、電源供給制御部３１６とを備えている。
【０１２０】
電子カセッテ３５２は、第１の実施の形態と同様に、通信方式設定処理ルーチンを実行することにより、自装置の位置が属する国の電波法において認められた通信方式によって無線通信を行う送受信機９２が、無線通信可能な状態となる。
【０１２１】
コンソール３６２は、電源がオンされたときに、第２の実施の形態と同様に、通信方式設定処理ルーチンを実行することにより、自装置の位置が属する国の電波法において認められた通信方式によって無線通信を行う送受信機１１２が、無線通信可能な状態となる。
【０１２２】
なお、第３の実施の形態に係る放射線情報システムについて、他の構成及び作用については、第１の実施の形態と同様であるため、説明を省略する。
【０１２３】
次に、第４の実施の形態について説明する。なお、第１の実施の形態及び第３の実施の形態と同様の構成となっている部分については、同一符号を付して説明を省略する。
【０１２４】
第４の実施の形態では、撮影室が診断車内に設けられている点と、診断車にＧＰＳが設けられている点とが、第３の実施の形態と主に異なっている。
【０１２５】
図１０に示すように、第４の実施の形態に係る撮影システムの電子カセッテ４５２は、通信制御部９０と、複数の送受信機９２と、主電源部９４と、位置情報取得部４９４と、通信方式決定部９８と、電源供給制御部１００と、メモリカード１０４と、記憶制御部１０６とを備えている。
【０１２６】
電子カセッテ４５２と診断車とがケーブルによって接続されている状態において、位置情報取得部４９４は、撮影室４３が設けられた診断車に搭載されているＧＰＳ４９６に、ケーブルを介して接続される。位置情報取得部４９４は、ＧＰＳ４９６から、自装置が存在する位置を示すＧＰＳ位置情報を取得する。
【０１２７】
また、第４の実施の形態に係るコンソール４６２は、メモリリーダ１０８と、複数の送受信機１１２と、電源部１１４と、操作部１１８、読み出し部１２０、画像メモリ１２２、表示制御部１２４、表示部１２６、通信制御部１２８、位置情報取得部４９８と、通信方式決定部３１０と、電源供給制御部３１６とを備えている。
【０１２８】
コンソール４６２と診断車とがケーブルによって接続されており、コンソール４６２の位置情報取得部４９８は、ＧＰＳ４９６に、ケーブルを介して接続される。位置情報取得部４９８は、ＧＰＳ４９６から、自装置が存在する位置を示すＧＰＳ位置情報を取得する。
【０１２９】
第４の実施の形態に係る撮影システムの他の構成及び作用については、第３の実施の形態と同様であるため、説明を省略する。
【０１３０】
なお、上記の実施の形態では、診断車にＧＰＳを搭載した場合を例に説明したが、これに限定されるものではなく、電子カセッテのその他の外部装置にＧＰＳを搭載し、電子カセッテが、外部装置からケーブルを介してＧＰＳ位置情報を取得するようにしてもよい。例えば、他の移動体や携帯端末などにＧＰＳを搭載するようにしてもよい。
【０１３１】
また、電子カセッテとコンソールとの双方で、ＧＰＳ位置情報を取得して、通信方式を決定する場合を例に説明したが、これに限定されるものではなく、電子カセッテとコンソールとの何れか一方で、ＧＰＳ位置情報を取得して、通信方式を決定し、他方では、上記の第１の実施の形態や第２の実施の形態と同様に、決定された通信方式を示す情報を取得するようにしてもよい。
【０１３２】
次に、第５の実施の形態について説明する。なお、第１の実施の形態となっている部分については、同一符号を付して説明を省略する。
【０１３３】
第５の実施の形態では、電子カセッテが、放射線画像情報をクレードルに対して無線通信によって送信している点が、第１の実施の形態と主に異なっている。
【０１３４】
図１１に示すように、第５の実施の形態に係る撮影システムの電子カセッテ５２は、第１の実施の形態と同様の構成となっており、電子カセッテ５２の通信制御部９０は、画像メモリ５０に放射線画像情報が記憶されると、何れかの送受信機９２によって、放射線画像情報をクレードル５６０に対して送信する。
【０１３５】
また、第５の実施の形態に係る撮影システムのクレードル５６０は、メモリリーダ５０８と、通信方式取得部５１０と、複数の送受信機５１２と、電源部５１４と、電源供給制御部５１６と、読み出し部５２０と、画像メモリ５２２と、通信制御部５２８と、充電部５３０とを備えている。なお、クレードル５６０は、本発明の収容装置に対応する。
【０１３６】
クレードル５６０の通信方式取得部５１０は、電子カセッテ５２及びクレードル５６０の各々の表面に露出するように設けられた通信用電極を介して、電子カセッテ５２の出力制御部１０２に接続される。電子カセッテ５２がクレードル５６０に収納され、電子カセッテ５２とクレードル５６０とが通信用電極によって導通されると、電子カセッテ５２の通信方式決定部９８によって決定された通信方式を示す情報が、クレードル５６０の通信方式取得部５１０によって取得される。
【０１３７】
複数の送受信機５１２は、電子カセッテ５２と同様に、国毎の電波法において認められた医療用無線方式であって、各々、電波周波数帯域、変調方式、及び電波出力が異なる組み合わせで規定される電波無線によって通信を行う。
【０１３８】
また、クレードル５６０の電源部５１４は商用電源に常時接続され、商用電源から供給された電力を整流、変圧し、クレードル５６０のうち各種回路や各素子（通信方式取得部５１０、電源供給制御部５１６、読み出し部５２０、画像メモリ５２２、通信制御部５２８、充電部５３０等）へ供給する。
【０１３９】
電源部５１４は、充電部５３０にも接続されており、また、クレードル５６０の充電用電極は導体を介して充電部５３０に接続されている。電子カセッテ５２がクレードル５６０に収納され、クレードル５６０側の充電用電極が、電子カセッテ５２側の充電用電極と接触し、導通している場合、充電部５３０は、電源部５１４から供給された電力を、電子カセッテ５２の主電源部９４の二次電池へ供給して、二次電池を充電する。
【０１４０】
クレードル５６０の通信方式取得部５１０及び電源部５１４は、電源供給制御部５１６に接続されており、電源供給制御部５１６は、複数の送受信機５１２のうち、通信方式取得部５１０によって取得された情報が示す通信方式に対応する送受信機５１２のみに、電源部５１４からの電源が供給されるように制御し、取得された情報が示す通信方式に対応する送受信機５１２による無線通信が可能な状態とする。また、電源供給制御部５１６は、通信方式取得部５１０によって無線通信を禁止することを示す情報が取得された場合には、どの送受信機５１２にも、電源部５１４からの電源が供給されないように制御し、いずれの送受信機５１２による無線通信も行えない状態とする。
【０１４１】
クレードル５６０の読み出し部５２０は、何れかの送受信機５１２によって受信された放射線画像情報を読み出す。また、読み出し部５２０には画像メモリ５２２が接続され、読み出し部５２０によって読み出された放射線画像情報が、画像メモリ５２２に記憶される。
【０１４２】
クレードル５６０のメモリリーダ５０８は、メモリカード１０４を装填可能な構成となっている。読み出し部５２０は、メモリリーダ５０８に装填されたメモリカード１０４に記憶された放射線画像情報を、メモリリーダ５０８を介して読み出し、画像メモリ５２２に記憶する。
【０１４３】
画像メモリ５２２には、通信制御部５２８が接続されている。通信制御部５２８は、画像メモリ５２２に記憶された放射線画像情報を、コンソールなどの外部機器へ出力する。
【０１４４】
読み出し部５２０、通信方式取得部５１０、及び通信制御部５２８はマイクロコンピュータによって実現され、電源供給制御部５１６は、スイッチング回路によって実現される。
【０１４５】
電子カセッテ５２では、第１の実施の形態と同様に、通信方式設定処理ルーチンが実行され、自装置の位置が属する国の電波法において認められた通信方式によって無線通信を行う送受信機９２が、無線通信可能な状態となる。
【０１４６】
電子カセッテ５２が、クレードル５６０に収容されると、電子カセッテ５２とクレードル５６０とが、通信用電極と充電用電極との各々を介して導通される。このとき、電子カセッテ５２において決定された通信方式を示す情報が、クレードル５６０によって取得される。そして、クレードル５６０において、取得された情報が示す通信方式の電波を利用する送受信機５１２に、電源部５１４からの電源を供給させるように制御する。これによって、自装置の位置が属する国の電波法において認められた通信方式によって無線通信を行う送受信機５１２が、無線通信可能な状態となる。また、クレードル５６０の充電部５３０によって、電子カセッテ５２の主電源部９４の二次電池が充電される。
【０１４７】
放射線画像の撮影が行われると、電子カセッテ５２において、放射線画像情報が生成され、画像メモリ５０に一旦記憶される。そして、電子カセッテ５２の無線通信可能な状態となっている送受信機９２によって、放射線画像情報がクレードル５６０に対して送信される。
【０１４８】
電子カセッテ５２から送信された放射線画像情報は、クレードル５６０の無線通信可能な状態となっている送受信機５１２によって受信され、所定の画像処理が施された後、画像メモリ５２２に記憶される。また、画像処理の施された放射線画像情報は、通信制御部５２８からコンソールに送信される。
【０１４９】
また、無線通信を禁止するように決定されている場合には、電子カセッテ５２は、記憶制御部１０６によって、画像メモリ５０に記憶された放射線画像情報をメモリカード１０４に記憶させる。そして、医師２６又は放射線技師は、撮影が終了すると、電子カセッテ５２からメモリカード１０４を取出し、クレードル５６０のメモリリーダ５０８にメモリカード１０４を装填させる。クレードル５６０は、メモリカード１０４に記憶された放射線画像情報を読み出し、所定の画像処理を施した後、画像メモリ５２２に記憶する。
【０１５０】
以上説明したように、第５の実施の形態に係る放射線情報システムのクレードルでは、自装置が存在する位置が属する国の電波法において認められた通信方式を電子カセッテから取得し、取得された通信方式を用いて、放射線画像情報を受信することにより、使用者に負担をかけることなく、適切な電波を用いて通信を行うことができる。
【０１５１】
なお、上記の実施の形態では、電子カセッテ側にＧＰＳを設けて通信方式を決定する場合を例に説明したが、これに限定されるものではなく、クレードル側にＧＰＳを設けて通信方式を決定するようにしてもよい。この場合には、第２の実施の形態と同様に、電子カセッテは、クレードルより決定された通信方式を示す情報を取得するようにすればよい。
【０１５２】
また、第３の実施の形態と同様に、電子カセッテとクレードルとの双方にＧＰＳを設け、双方で各々通信方式を決定するようにしてもよい。また、第４の実施の形態と同様に、外部装置に搭載されたＧＰＳから、電子カセッテとクレードルとの双方で、ＧＰＳ位置情報を取得して、通信方式を決定するようにしてもよい。また、電子カセッテとクレードルとの何れか一方で、外部装置のＧＰＳからＧＰＳ位置情報を取得して、通信方式を決定し、他方では、決定された通信方式を示す情報を取得するようにしてもよい。
【０１５３】
次に、第６の実施の形態について説明する。なお、第１の実施の形態となっている部分については、同一符号を付して説明を省略する。
【０１５４】
第６の実施の形態では、電子カセッテにおいて、通信制御部と送受信機との接続関係を切り替えることによって、何れか１つの送受信機によって通信を行うように制御している点が、第１の実施の形態と主に異なっている。
【０１５５】
図１２に示すように、第６の実施の形態に係る撮影システムの電子カセッテ６５２は、通信制御部９０と、複数の送受信機９２と、主電源部９４と、ＧＰＳ９６と、通信方式決定部９８と、出力制御部１０２と、メモリカード１０４と、記憶制御部１０６と、切り替え制御部７００と、切り替え部７０２とを備えている。主電源部９４は、複数の送受信機９２の各々に電源を供給している。
【０１５６】
各送受信機９２は、切り替え部７０２を介して、通信制御部９０に接続されている。切り替え部７０２は、スイッチング回路によって構成され、入力される切り替え制御信号に基づいて、通信制御部９０と接続される１つの送受信機９２を切り替える。なお、切り替え部７０２は、通信制御部９０がいずれの送受信機９２とも接続されない状態に切り替えることもできる。
【０１５７】
切り替え制御部７００は、通信方式決定部９８と切り替え部７０２とに接続されている。切り替え制御部７００は、複数の送受信機９２のうち、通信方式決定部９８によって決定された通信方式に対応する送受信機９２のみが、通信制御部９０と接続されるように、切り替え制御信号を切り替え部７０２に入力して、切り替え部７０２による切り替えを制御し、決定された通信方式に対応する送受信機９２による無線通信が可能な状態とする。また、切り替え制御部７００は、通信方式決定部９８によって無線通信を禁止するように決定された場合には、どの送受信機９２も、通信制御部９０と接続されないように、切り替え制御信号を切り替え部７０２に入力して、いずれの送受信機９２による無線通信も行えない状態とする。
【０１５８】
なお、切り替え制御部７００には、通信方式決定部９８によって決定される通信方式と、通信方式に対応する送受信機９２との対応関係が予め記憶されている。
【０１５９】
第６の実施の形態に係る撮影システムのコンソール６６２は、メモリリーダ１０８と、通信方式取得部１１０と、複数の送受信機１１２と、電源部１１４と、操作部１１８と、読み出し部１２０と、画像メモリ１２２と、表示制御部１２４と、表示部１２６と、通信制御部１２８と、切り替え制御部７１６と、切り替え部７１８とを備えている。電源部１１４は、複数の送受信機１１２の各々に電源を供給している。
【０１６０】
各送受信機１１２は、切り替え部７１８を介して、読み出し部１２０に接続されている。切り替え部７１８は、スイッチング回路によって構成され、入力される切り替え制御信号に基づいて、読み出し部１２０と接続される１つの送受信機１１２を切り替える。なお、切り替え部７１８は、読み出し部１２０がいずれの送受信機１１２とも接続されない状態に切り替えることもできる。
【０１６１】
切り替え制御部７１６は、通信方式取得部１１０と切り替え部７１８とに接続されている。切り替え制御部７１６は、複数の送受信機１１２のうち、通信方式取得部１１０によって取得された通信方式に対応する送受信機１１２のみが、読み出し部１２０と接続されるように、切り替え制御信号を切り替え部７１８に入力して、切り替え部７１８による切り替えを制御し、決定された通信方式に対応する送受信機１１２による無線通信が可能な状態とする。また、切り替え制御部７１６は、通信方式取得部１１０によって無線通信を禁止することを示す情報が取得された場合には、どの送受信機１１２も、読み出し部１２０と接続されないように、切り替え制御信号を切り替え部７１８に入力して、いずれの送受信機１１２による無線通信も行えない状態とする。
【０１６２】
なお、切り替え制御部７１６には、通信方式取得部１１０によって取得される情報が示す通信方式と、通信方式に対応する送受信機１１２との対応関係が予め記憶されている。
【０１６３】
電子カセッテ６５２において、通信方式決定部９８及び切り替え制御部７００を実現するマイクロコンピュータによって、以下のように、通信方式設定処理ルーチンが実行される。
【０１６４】
まず、ＧＰＳ９６より測定された自装置が存在する位置を示すＧＰＳ位置情報を取得する。そして、ＧＰＳ位置情報が取得できたか否かを判定し、ＧＰＳ位置情報を取得できなかった場合には、通信制御部９０が何れの送受信機９２とも接続されないように、切り替え部７０２を制御して、送受信機９２による無線通信を禁止して、通信方式設定処理ルーチンを終了する。
【０１６５】
一方、ＧＰＳ位置情報が取得できたと判定された場合には、取得されたＧＰＳ位置情報に基づいて、自装置が存在する位置が属する国を特定する。そして、特定された自装置の位置が属する国に対応する通信方式として、電波周波数帯域、変調方式、及び無線電波出力によって規定される通信方式を決定する。次に、決定された通信方式の電波を利用する送受信機９２と、通信制御部９０とが接続されるように切り替え部７０２を制御して、通信方式設定処理ルーチンを終了する。
【０１６６】
上記の通信方式設定処理ルーチンを実行することにより、自装置の位置が属する国の電波法において認められた通信方式によって無線通信を行う送受信機９２が、通信制御部９０と接続され、無線通信可能な状態となる。
【０１６７】
また、電子カセッテ６５２とコンソール６６２とがケーブルによって接続されている状態において、医師２６や放射線技師が、コンソール６６２の操作部１１８によって、通信方式取得指示を入力すると、電子カセッテ６５２において決定された通信方式を示す情報が、コンソール６６２によって取得される。そして、コンソール６６２において、取得された情報が示す通信方式の電波を利用する送受信機１１２に、読み出し部１２０が接続されるように、切り替え部７１８による切り替えを制御する。これによって、自装置の位置が属する国の電波法において認められた通信方式によって無線通信を行う送受信機１１２が、無線通信可能な状態となる。
【０１６８】
第６の実施の形態に係る放射線情報システムの他の作用については、第１の実施の形態と同様であるため、説明を省略する。
【０１６９】
なお、上記の実施の形態では、電子カセッテ側にＧＰＳを設けて通信方式を決定する場合を例に説明したが、これに限定されるものではなく、第２の実施の形態と同様に、コンソール側にＧＰＳを設けて通信方式を決定するようにしてもよい。また、第３の実施の形態と同様に、電子カセッテとコンソールとの双方にＧＰＳを設け、双方で各々通信方式を決定するようにしてもよい。また、第４の実施の形態と同様に、外部装置に搭載されたＧＰＳから、電子カセッテとクレードルとの双方で、ＧＰＳ位置情報を取得して、通信方式を決定するようにしてもよい。また、電子カセッテとコンソールとの何れか一方で、外部装置のＧＰＳからＧＰＳ位置情報を取得して、通信方式を決定し、他方では、決定された通信方式を示す情報を取得するようにしてもよい。また、第５の実施の形態と同様に、電子カセッテがクレードルに放射線画像情報を送信する構成としてもよい。
【０１７０】
また、上記の第１の実施の形態〜第６の実施の形態では、電子カセッテとコンソール又クレードルとの間で、無線通信を行い、コンソールとその他の装置との間では、有線通信を行う場合を例に説明したが、これに限定されるものではなく、コンソールとその他の装置との間でも、無線通信を行うようにしてもよい。この場合には、撮影装置、表示装置、及びＲＩＳサーバの各々において、上記で説明したように、通信方式を決定するか、又は決定された通信方式を取得して、その通信方式を用いた送受信機によって、無線通信を行うようにすればよい。
【０１７１】
また、国毎に認められた複数の通信方式として、電波周波数帯域、変調方式、及び電波出力の異なる組み合わせによって規定される複数の通信方式を用いる複数の送受信機を、電子カセッテとコンソール又はクレードルとに設けた場合を例に説明したが、これに限定されるものではない。対象となる複数の国の電波法で認められている複数の通信方式について、変調方式及び電波出力が共通となっている場合には、変調方式及び電波出力が共通であって、電波周波数帯域が異なる複数の送受信機を、電子カセッテとコンソール又はクレードルとに設けるようにしてもよい。
【０１７２】
また、電子カセッテとコンソール又はクレードルとにおいて、複数の送受信機を設けた場合を例に説明したが、これに限定されるものではなく、複数の通信方式を切り替えることが可能な１つの送受信機を、電子カセッテとコンソール又はクレードルとに設けるようにしてもよい。
【図面の簡単な説明】
【０１７３】
【図１】第１の実施の形態に係る放射線情報システムの構成を示すブロック図である。
【図２】第１の実施の形態に係る放射線画像撮影システムが設置された手術室の様子を示すイメージ図である。
【図３】第１の実施の形態に係る電子カセッテの内部構成を示す斜視図である。
【図４】第１の実施の形態に係る電子カセッテ及びコンソールの電気系の構成を示すブロック図である。
【図５】第１の実施の形態に係る電子カセッテにおける通信方式設定処理ルーチンの内容を示すフローチャートである。
【図６】他の実施の形態に係る電子カセッテ及びコンソールの電気系の構成を示すブロック図である。
【図７】他の実施の形態に係る電子カセッテ及びコンソールの電気系の構成を示すブロック図である。
【図８】第２の実施の形態に係る電子カセッテ及びコンソールの電気系の構成を示すブロック図である。
【図９】第３の実施の形態に係る電子カセッテ及びコンソールの電気系の構成を示すブロック図である。
【図１０】第４の実施の形態に係る電子カセッテ及びコンソールの電気系の構成を示すブロック図である。
【図１１】第５の実施の形態に係る電子カセッテ及びクレードルの電気系の構成を示すブロック図である。
【図１２】第６の実施の形態に係る電子カセッテ及びコンソールの電気系の構成を示すブロック図である。
【符号の説明】
【０１７４】
１０   放射線情報システム
１８   放射線画像撮影システム
５２、２５２、３５２、４５２、６５２  電子カセッテ
５４   撮影装置
６０、５６０  クレードル
６２、２６２、３６２、４６２、６６２  コンソール
８０   放射線検出器
９０   通信制御部
９２   送受信機
９４   主電源部
９６  ＧＰＳ
９８、３１０  通信方式決定部
１００ 電源供給制御部
１０４  メモリカード
１０６  記憶制御部
１１０、２９８、５１０  通信方式取得部
１１２、５１２  送受信機
１１４、５１４  電源部
１１６、３００、３１６、５１６  電源供給制御部
１８０  有線通信制御部
１８１  接続端子
１８４  赤外線通信部
１８６  赤外線通信制御部
４９４、４９８  位置情報取得部
７００、７１６  切り替え制御部
７０２、７１８  切り替え部
【図１】
2010032268.tif 000003
【図２】
2010032268.tif 000004
【図３】
2010032268.tif 000005
【図４】
2010032268.tif 000006
【図５】
2010032268.tif 000007
【図６】
2010032268.tif 000008
【図７】
2010032268.tif 000009
【図８】
2010032268.tif 000010
【図９】
2010032268.tif 000011
【図１０】
2010032268.tif 000012
【図１１】
2010032268.tif 000013
【図１２】
2010032268.tif 000014